(57)【要約】      （修正有） 【課題】表示装置の外枠の境界幅を減少させた表示装置を提供する。【解決手段】筐体１００、表示パネル３００、カバー６００、第１及び第２可撓性フレーム５００を含む表示装置に関する。筐体は底板及び複数の側板を含む。側板は底板の側面に配置され、内部に収容空間を形成する。表示パネルは収容空間に配置され、第１〜第４側面を有する。第１側面と第３側面は対向し、第２側面と第４側面は対向し、第１、第３側面の間に位置する。カバーは筐体上に配置され、第４側面に位置する。第１可撓性フレーム４００は第１〜第３サイドバーを含む。第２サイドバーは第１、第３サイドバーに接続され、その間に配置される。表示パネルの第１〜第３側面は第１可撓性フレームの第１乃至第３サイドバーによりクランプされる。第２可撓性フレーム５００はカバー上に配置され第４側面に隣接し、第２可撓性フレームの両端は第１可撓性フレームの第１サイドバー及び第３サイドバーに接続される。【選択図】図１
0003224448.tif 000002
【実用新案登録請求の範囲】
【請求項１】
底板と複数の側板とを備え、前記複数の側板は、底板の側面にそれぞれ配置され、内部に収容空間を形成する筐体と、
前記収容空間に配置され、第１側面、第２側面、第３側面、および第４側面を有し、前記第１側面と前記第３側面は互いに対向して配置され、前記第２側面と前記第４側面は互いに対向して配置され前記第１側面と前記第３側面の間に配置される表示パネルと、
前記筐体上に取り外し可能に配置され、前記表示パネルの前記第４側面に位置するカバーと、
第１サイドバー、第２サイドバー、および第３サイドバーを含み、前記第２サイドバーは、前記第１サイドバーおよび前記第３サイドバーに接続され、前記第１サイドバーと前記第３サイドバーとの間に位置する第１可撓性フレームであって、前記第１側面と、前記第２側面、および前記第３側面は、それぞれ前記第１可撓性フレームの第１サイドバー、第２サイドバーおよび第３サイドバーによってクランプされる第１可撓性フレームと、
前記カバー上に配置され、前記表示パネルの第４側面に隣接する第２可撓性フレームであって、前記第２可撓性フレームの２つの対向する端部は、それぞれ前記第１可撓性フレームの前記第１サイドバーおよび前記第３サイドバーに接続される第２可撓性フレームと、を有する、表示装置。
【請求項２】
前記第２可撓性フレームは少なくとも１つの突起を有し、前記カバーは少なくとも１つの位置決め孔を有し、前記少なくとも１つの突起は前記第２可撓性フレームをカバーに固定するように少なくとも１つの位置決め孔に着脱可能に挿入される、請求項１に記載の表示装置。
【請求項３】
前記底板から離れた前記第１可撓性フレームの表面は、前記底板から離れた前記第２可撓性フレームの表面と実質的に同一の平面である、請求項１に記載の表示装置。
【請求項４】
前記第１可撓性フレームの前記第１サイドバー、前記第２サイドバーおよび前記第３サイドバーは、
前記表示パネルの前記第１側面と筐体の複数の側板のうちの１つとの間に挟まれ、
前記表示パネルの前記第２側面と前記筐体の別の側面との間に挟まれ、
前記表示パネルの前記第３側面と前記筐体のさらに別の側面との間に挟まれる、請求項１に記載の表示装置。
【請求項５】
前記第１サイドバー、前記第２サイドバーおよび前記第３サイドバーはそれぞれ、支持部、側部およびカバー部を備え、前記側部は前記支持部および前記カバー部に接続され、前記表示パネルと前記筐体の前記複数の側板との間に位置し、前記表示パネルの一部が、前記支持部と前記カバー部との間に挟まれる、請求項１に記載の表示装置。
【請求項６】
前記カバー部は、前記底板から離れた表示パネルの底板から離れた側に位置し、前記カバー部は、前記底板から離れた前記カバー部の側に位置する第１凸状クッションを有する、請求項５に記載の表示装置。
【請求項７】
前記第２可撓性フレームは、前記カバーから離れた第２可撓性フレームの側に位置する第２凸状クッションを有し、前記第２凸状クッションは、前記第１サイドバーおよび前記第３サイドバーの第１緩衝材に対応する、請求項６に記載の表示装置。
【請求項８】
底板から離れた第１可撓性フレームの表面は、底板から離れた第２可撓性フレームの表面と実質的に面一である、請求項７に記載の表示装置。
【請求項９】
前記カバー部は第１当接面を有し、
前記側部は第２当接面を有し、
前記第１当接面および前記第２当接面はそれぞれ表示パネルの隣接する側に位置し、
前記第１当接面は前記第２当接面に対して鋭角に配置される、請求項５に記載の表示装置。
【請求項１０】
前記側部から突出する前記カバー部の長さは、前記側部から突出する前記支持部の長さよりも短い、請求項５に記載の表示装置。
【考案の詳細な説明】
【技術分野】
【０００１】
本開示は、表示装置に関し、より詳細には、可撓性フレームを有する表示装置に関する。
【背景技術】
【０００２】
半導体産業および関連する電子産業の発展に伴い、スマートフォン、ノート型コンピュータ、タブレットＰＣ、およびフラットスクリーンＴＶなどのデジタル製品が革新され続けている。これらのデジタル製品の中で、表示装置は最も重要な媒体の１つである。
【０００３】
ノート型コンピュータを例にとると、従来、ノート型コンピュータのディスプレイは、前面筐体、背面筐体、およびこれら２つの筐体に囲まれた表示パネルを含む。通常、表示パネルは、背面筐体に固定するためにその端に取り付けタブを有する。その結果、前面筐体が取り付けタブを覆う必要があり、表示装置のサイズが大きくなり、表示領域の周りの外枠が広くなる。
【考案の概要】
【０００４】
本開示は、表示装置の外枠の境界幅を減少させることができる表示装置を提供する。
【０００５】
本開示の一態様によれば、表示装置は、筐体と、表示パネルと、カバーと、第１可撓性フレームと、第２可撓性フレームと、を含む。筐体は、底板と複数の側板とを含む。複数の側板は、底板の側面にそれぞれ配置されて、内部に収容空間を形成する。表示パネルは、収容空間に配置され、第１側面、第２側面、第３側面、および第４側面を有する。第１側面と第３側面は互いに反対に位置し、第２側面と第４側面は互いに反対に位置し、第１側面と第３側面の間に位置する。カバーは、筐体上に取り外し可能に配置され、表示パネルの第４側面に位置する。第１可撓性フレームは、第１サイドバー、第２サイドバーおよび第３サイドバーを含む。第２サイドバーは、第１サイドバーと第３サイドバーに接続され、その間に配置される。表示パネルの第１側面、第２側面、および第３側面は、それぞれ、第１可撓性フレームの第１サイドバー、第２サイドバー、および第３サイドバーによってクランプされる。第２可撓性フレームは、カバー上に配置され、表示パネルの第４側面に隣接し、第２可撓性フレームの２つの両端は、それぞれ第１可撓性フレームの第１サイドバーおよび第３サイドバーに接続される。
【０００６】
上記の表示装置によれば、表示パネルは、第１側面、第２側面および第３側面が第１可撓性フレームによってクランプされるように所定の位置に筐体に固定できる。したがって、表示パネルを固定するために、表示パネルの端に取り付けタブを追加で形成する必要がない。そのようなものとして、第１可撓性フレームは、表示装置の外側フレームと見なされ、取り付けタブを覆う必要がある従来の外側フレームを置き換えることができる。結果として、本開示の表示装置は、同じサイズの従来の表示装置と比較して、より狭い外枠およびより大きな表示領域を有することができる。たとえば、従来の１４インチの表示装置と同じサイズの表示装置は、１５インチの表示領域を持つことができる。
【０００７】
さらに、表示パネルの周りに配置された第１可撓性フレームおよび第２可撓性フレームは、一緒に連続的な四辺形構造を形成する。この構成は、表示装置の審美的な外観を向上させるだけでなく、外部からの衝撃を吸収することもできる。表示装置がホストコンピュータに配置される場合、表示装置がキーボード上に折り畳まれると、第１可撓性フレームおよび第２可撓性フレームは、キーボードまたは筐体からの衝撃をさらに吸収することができる。
【図面の簡単な説明】
【０００８】
本開示は、以下に与えられる詳細な説明および添付の図面からより完全に理解されるであろう。添付図面は、例示のみのために与えられ、本開示を限定することを意図するものではない。
【図１】本開示の一実施形態に係る表示装置の斜視図である。
【図２】図１の表示装置の分解図である。
【図３】図２の表示装置のカバーと第２可撓性フレームの部分拡大分解図である。
【図４】図１の表示装置の４-４’に沿った部分拡大断面図である。
【図５】図４の表示装置の部分拡大図である。
【図６】図５の表示装置の６-６’に沿った部分拡大断面図である。
【考案を実施するための形態】
【０００９】
以下の詳細な説明では、説明することを目的として、開示された実施形態の完全な理解を提供するために、多くの特定の詳細が記載される。しかしながら、これらの特定の詳細なしに１つまたは複数の実施形態を実施できることは明らかであろう。別の例では、図面を簡略化するために、周知の構造およびデバイスが概略的に示される。
【００１０】
図１乃至図３を参照のこと。図１は本開示の一実施形態による表示装置の斜視図である。図２は、図１の表示装置の分解図である。図３は、図２の表示装置のカバーと第２可撓性フレームの部分拡大分解図である。
【００１１】
本開示は、筐体１００、表示パネル３００、第１可撓性フレーム４００、第２可撓性フレーム５００、カバー６００、および装飾板７００を含む表示装置１０を提供する。
【００１２】
より詳細には、筐体１００は、底板１１０、第１側板１２１、第２側板１２２、および第３側板１２３を含む。第１側板１２１、第２側板１２２、および第３側板１２３は単に側板と呼ばれてもよい。底板１１０は、表示パネル３００を支持するように構成された支持面１１１を有する。第２側板１２２は、第１側板１２１と第３側板１２３との間に接続されて配置される。そして、第１側板１２１、第２側板１２２、および第３側板１２３は、内部に収容空間Ｓを形成するように底板１１０の両側にそれぞれ配置される。装飾板７００は、表示装置１０の審美的な外観を提供するために、収容空間Ｓから離れた底板１１０の側面に配置されてもよい。
【００１３】
表示パネル３００は、取り付け面３１１を有する。表示パネル３００は、収容空間Ｓに配置され、取り付け面３１１は、筐体１００の底板１１０に面している。表示パネル３００は、筐体１００の底板１１０に配置されてもよい。表示パネル３００は、例えば、接着または引っ掛けにより配置固定されるが、本開示はそれに限定されない。表示パネル３００はさらに、表示パネル３００の異なる側面である第１側面３０１、第２側面３０２、第３側面３０３および第４側面３０４を有する。第１側面３０１および第３側面３０３は互いに反対側に配置される。第２側面３０２および第４側面３０４は、互いに反対に配置され、第１側面３０１と第３側面３０３との間に配置される。
【００１４】
第１可撓性フレーム４００は、例えば、プラスチックとシリコーンの混合物で作られており、射出成形プロセスにより製造される。第１可撓性フレーム４００は、第１サイドバー４１０、第２サイドバー４２０、および第３サイドバー４３０を含む。第２サイドバー４２０は、第１サイドバー４１０および第３サイドバー４３０に接続される２つの対向する端部を有する。第１側面３０１において、表示パネル３００の第２側面３０２および第３側面３０３は、表示パネル３００を所定の位置に固定するために、それぞれ第１サイドバー４１０、第２サイドバー４２０および第３サイドバー４３０によってクランプされる。第１サイドバー４１０、第２サイドバー４２０および第３サイドバー４３０は、それぞれ、表示パネル３００の側面と筐体１００の側板（すなわち、第１側板１２１、第２側板１２２、および第３側板）の間に挟まれる部分を有する。この実施形態では、第１サイドバー４１０、第２サイドバー４２０、および第３サイドバー４３０は構造が類似しており、長さのみが異なる場合がある。したがって、以下の説明では、第２サイドバー４２０のみが例として示される。
【００１５】
図４を参照のこと。図４は、図１の表示装置の４-４’に沿った部分拡大断面図である。第２サイドバー４２０は、支持部４２１、側部４２２、およびカバー部４２３をさらに含んでもよい。側部４２２は、支持部４２１およびカバー部４２３に接続される。カバー部４２３は、さらに第１当接面４２３Ａを有してもよい。側部４２２は、第２当接面４２２Ａをさらに有してもよい。第１当接面４２３Ａおよび第２当接面４２２Ａはそれぞれ表示パネル３００の隣接する側に位置し、第１当接面４２３Ａは表示パネル３００に向かって傾斜し、第２当接面に対して鋭角θで配置され、それにより、第１当接面４２３Ａは、表示パネル３００に対して押し付けることができる。その結果、表示パネル３００は、表示パネル３００のアセンブリおよび第２サイドバー４２０の信頼性を確保するために、第２サイドバー４２０によってしっかりとクランプされる。
【００１６】
さらに、第２サイドバー４２０が表示パネル３００を固定している間に、表示パネル３００の表示領域を有利に拡大するように、側部４２２の第２当接面４２２Ａから突出するカバー部４２３の長さＬ１は、側部４２２の第２当接面４２２Ａから突出する支持部４２１の長さＬ２よりも短い。
【００１７】
第２サイドバー４２０は、第２当接面４２２Ａから離れた側部４２２に配置された凸状のクッション４２４をさらに含んでもよい。凸状のクッション４２４は、筐体１００の第２側板１２２を押し付けることができ、表示パネル３００の第２側面３０２は、第２サイドバー４２０によってクランプされてもよい。第１サイドバー４１０、第３サイドバー４３０、および第２サイドバー４２０は構造が類似している。したがって、表示パネル３００の第１側面３０１および第３側面３０３は、それぞれ第１サイドバー４１０および第３サイドバー４３０によってクランプされる。また、第１サイドバー４１０および第３サイドバー４３０を同時に筐体１００の第１側板１２１および第３側板１２３に対して押し付ける。これにより、表示パネル３００は、筐体１００に固定することができる。凸状のクッション４２４は任意であり、本開示はそれに限定されないことに留意されたい。
【００１８】
図２に戻って参照されたい。カバー６００は、側板を有さない筐体１００の底板１１０の側面に配置されてもよい。また、カバー６００は、表示装置の審美的な外観を提供するために表示パネル３００の第４側面３０４に配置されてもよい。
【００１９】
第２可撓性フレーム５００の材料は、第１可撓性フレーム４００の材料と同じであってよい。第２可撓性フレーム５００は、第２可撓性フレーム５００の２つの反対側の端部が第１サイドバー４１０および第３サイドバー４３０に接続されるようにカバー６００に配置される。第１サイドバー４１０および第３サイドバー４３０は、それぞれ第１側面３０１および第３側面３０３に配置される。したがって、第２可撓性フレーム５００、第１可撓性フレーム４００の第１サイドバー４１０、第２サイドバー４２０は、表示パネル３００の周りに配置され、一緒に連続する四辺形の構造（図１に示される）を形成する。
【００２０】
図３に示すように、カバー６００が配置される第２可撓性フレーム５００の表面には少なくとも１つの突起５１０が形成され、第２可撓性フレーム５００が配置されるカバー６００の表面には少なくとも１つの位置決め孔６１０が形成される。位置決め孔６１０は突起５１０に対応する。したがって、第２可撓性フレーム５００がカバー６００上に配置されると、突起５１０は位置決め孔６１０に挿入され、第２可撓性フレーム５００を定位置に固定する。しかしながら、この実施形態における突起５１０および位置決め孔６１０は任意である。いくつかの他の実施形態では、第２可撓性フレームはカバーに接着されてもよい。
【００２１】
第１可撓性フレーム４００および第２可撓性フレーム５００によって形成される四辺形構造は、表示装置１０に審美的な外観を与えることができるだけでなく、表示パネル３００の４つの側面に緩衝を提供することもできる。
【００２２】
表示装置１０の組み立てプロセスは、以下のステップを含むことができる。表示パネル３００の第１側面３０１、第２側面３０２、および第３側面３０３は、第１可撓性フレーム４００の第１サイドバー４１０、第２サイドバー４２０、および第３サイドバー４３０によってそれぞれクランプされてもよい。表示パネル３００は、取り付け面３１１が筐体１００の底板１１０に面するように収容空間Ｓに配置されてもよい。第１可撓性フレーム４００の第１サイドバー４１０は、表示パネル３００の第１側面３０１と、筐体１００の第１側板１２１との間に配置される。第２サイドバー４２０は、表示パネル３００の第２側面３０２とおよび筐体１００の第２側板１２２との間に配置される。第３サイドバー４３０は、表示パネル３００の第３側面３０３と、筐体１００の第３側板１２３との間に配置される。その結果、第１可撓性フレーム４００は、筐体１００から表示パネル３００への衝撃を吸収することができる。そのとき、カバー６００が、筐体１００の底板１１０に配置された後、第２可撓性フレーム５００は、カバー６００上に配置され、表示パネル３００の第４側面３０４に隣接して配置され、これによって第２可撓性フレーム５００の２つの対向する端部がそれぞれ第１サイドバー４１０および第３サイドバー４３０に接続される。第１サイドバー４１０および第３サイドバー４３０は、表示パネル３００の第１側面３０１および第３側面３０３にそれぞれ配置される。その結果、第１サイドバー４１０、第２サイドバー４２０、第３サイドバー４３０および第２可撓性フレーム５００は、一緒に連続した四辺形構造を形成する。
【００２３】
さらに、図４に加えて、図５および図６を参照のこと。図５は、図１の表示装置の部分拡大図である。図６は、図５の表示装置の６-６’に沿った部分拡大断面図である。
【００２４】
図４に示すように、第２サイドバー４２０のカバー部４２３は、底板１１０から離れた表示パネル３００の側に位置する。また、第２サイドバー４２０のカバー部４２３は、表示装置１０がキーボード上に折り畳まれたときに、表示装置１０とキーボードが互いにぶつからないように、表示装置１０に緩衝材を提供するように構成された第１凸状クッション４２３Ｂを有する。なお、第１サイドバー４１０および第３サイドバー４３０は、それぞれ、第２サイドバー４２０のものと類似する第１凸状クッション４２３Ｂを有するカバー部４２３を有する。したがって、第１サイドバー４１０および第３サイドバー４３０は、表示装置１０に緩衝材を提供することもできる。さらに、第２可撓性フレーム５００の外観は、第１サイドバー４１０および第３サイドバー４３０と連続しているか、カバー６００から離れた第２可撓性フレーム５００の一側面の外観は、カバー６００から離れた第１可撓性フレーム４００のカバー部４２３の外観と適合するといってもよい。図５および図６に示すように、第２可撓性フレーム５００は、カバー６００から離れた第２可撓性フレーム５００の側面に配置された第２凸状クッション５０１をさらに有し、第２凸状クッション５０１は第１可撓性フレーム４００の第１凸状クッション４２３Ｂに対応している。これによって、底板１１０から離れた第１可撓性フレーム４００の表面は、底板１１０から離れた第２可撓性フレーム５００の表面と実質的に同一の平面である。
【００２５】
さらに、第２可撓性フレーム５００、第１サイドバー４１０および第３サイドバー４３０の間の隙間は、四辺形構造の連続的で滑らかな面を作り出すために可能な限り縮小され、それによりそれらは単一の部品のように見えてもよい。第２可撓性フレーム５００の外観は、第１サイドバー４１０および第３サイドバー４３０と一致すると言うことができる。例えば、第１サイドバー４１０および第３サイドバー４３０の表面にそれぞれ面する第２可撓性フレーム５００の２つの表面は、第３サイドバー４３０の表面は、第１サイドバー４１０の表面および第３サイドバー４３０の表面にそれぞれ実質的に平行であってもよい。
【００２６】
したがって、表示パネル３００の周囲に配置された第１可撓性フレーム４００および第２可撓性フレーム５００は、表示装置１０の審美的外観を高めるために単一の部品のように見え、キーボードまたは筐体１００からの衝撃を緩和することができる。表示装置１０がホストコンピュータに配置される場合、表示装置１０がキーボード上に折り畳まれると、表示パネル３００の周囲に配置された第１可撓性フレーム４００および第２可撓性フレーム５００はさらにキーボードまたは筐体からの衝撃を吸収することができる。
【００２７】
上記の表示装置によれば、表示パネルは、第１側面、第２側面および第３側面が第１可撓性フレームによってクランプされるように所定の位置で筐体に固定できる。したがって、表示パネルを固定するために、表示パネルの端に取り付けタブを追加で形成する必要がない。そのようなものとして、第１可撓性フレームは、表示装置の外側フレームと見なされ、取り付けタブを覆う必要がある従来の外側フレームを置き換えることができる。その結果、本開示の表示装置は、同じサイズの従来の表示装置と比較して、より狭い外枠およびより大きな表示領域を有することができる。たとえば、従来の１４インチの表示装置と同じサイズの表示装置は、１５インチの表示領域を有することができる。
【００２８】
さらに、表示パネルの周りに配置された第１可撓性フレームおよび第２可撓性フレームは、一緒に連続的な四辺形構造を形成する。この構成は、表示装置の審美的な外観を向上させるだけでなく、外部からの衝撃を吸収することもできる。表示装置がホストコンピュータに配置される場合、表示装置がキーボード上に折り畳まれると、第１可撓性フレームおよび第２可撓性フレームは、キーボードまたは筐体からの衝撃をさらに吸収することができる。
【００２９】
実施形態は、本開示の原理およびその実際の用途を最もよく説明するために選択および説明され、それにより、当業者が本開示および特定の実施形態に適した様々な修正を伴う様々な実施形態を最大限に利用できるようにする。本開示の範囲は、以下の実用新案登録請求の範囲およびそれらの均等物によって定義されることが意図されている。
【図１】
0003224448.tif 000003
【図２】
0003224448.tif 000004
【図３】
0003224448.tif 000005
【図４】
0003224448.tif 000006
【図５】
0003224448.tif 000007
【図６】
0003224448.tif 000008